【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
少なくとも１つの解剖学的壁を通る２つの解剖学的区画間の流体連通のための体内接続具を備える経カテーテルシステムであって、前記体内接続具が、流量調整デバイスを受容するように構成されている、経カテーテルシステム。
【請求項２】
前記流量調整デバイスが前記体内接続具に連結されている場合、流体は、第１の区画から第２の区画に流れることができ、前記流量調整デバイスが前記体内接続具に連結されていない場合、流体は、前記第１の区画から前記第２の区画に流れることができない、請求項１に記載の経カテーテルシステム。
【請求項３】
前記流量調整デバイスを前記体内接続具に着脱可能に固定するための固定手段をさらに備える、請求項１または２に記載の経カテーテルシステム。
【請求項４】
前記体内接続具および前記流量調整デバイスが、相補的なねじ手段を備える、請求項３に記載の経カテーテルシステム。
【請求項５】
前記固定手段を密封するための手段をさらに備える、請求項３または４に記載の経カテーテルシステム。
【請求項６】
前記体内接続具が、一方の区画から他方の区画への流体通過のためのネック部を備える、請求項１〜５のいずれか一項に記載の経カテーテルシステム。
【請求項７】
前記ネック部が、前記流量調整デバイスを前記体内接続具に着脱可能に固定するように構成されている、請求項６に記載の経カテーテルシステム。
【請求項８】
前記解剖学的壁を横切って前記ネック部を固定するための手段をさらに備える、請求項６または７に記載の経カテーテルシステム。
【請求項９】
前記解剖学的壁を横切って前記ネック部を固定するための前記手段が、前記ネック部の第１の端部から延在する拡張可能なアンカー部を備える、請求項８に記載の経カテーテルシステム。
【請求項１０】
前記アンカー部が、拡張状態では、前記第２の区画の前記解剖学的壁と実質的に平行に位置する、請求項９に記載の経カテーテルシステム。
【請求項１１】
前記体内接続具は、組織が前記ネック部を通る流体通過を妨げるのを防止するための防止手段を備える、請求項６〜１０のいずれか一項に記載の経カテーテルシステム。
【請求項１２】
前記防止手段が、前記ネック部の第２の端部から延在する拡張可能なシールド部を備える、請求項１１に記載の経カテーテルシステム。
【請求項１３】
前記体内接続具が、前記第１の区画から前記第２の区画への流体の通過を選択的に防止または許容するためのゲート部をさらに備える、請求項１〜１２のいずれか一項に記載の経カテーテルシステム。
【請求項１４】
前記ゲート部が、前記体内接続具の前記ネック部に位置する、請求項１３に記載の経カテーテルシステム。
【請求項１５】
前記ゲート部は、前記流量調整デバイスが前記ゲート部を通って受容されたときに流体の通過を許容することが可能であり、前記流量調整デバイスの非存在下では流体の通過を防止する、請求項１３または１４に記載の経カテーテルシステム。
【請求項１６】
前記体内接続具が折り畳み可能である、請求項１〜１５のいずれか一項に記載の経カテーテルシステム。
【請求項１７】
前記体内接続具が、全体的にまたは部分的に形状記憶材料から作られている、請求項１〜１６のいずれか一項に記載の経カテーテルシステム。
【請求項１８】
前記２つの解剖学的区画間の流体の流れを調整するための体内デバイスをさらに備える、請求項１〜１７のいずれか一項に記載の経カテーテルシステム。
【請求項１９】
前記流量調整デバイスが、前記体内接続具を通る流体の流れを許容または防止するためのアクチュエータを備える、請求項１８に記載の経カテーテルシステム。
【請求項２０】
前記流量調整デバイスが、使用時に前記第１の区画内に配置される第１の部分と、使用時に前記第２の区画内に配置される第２の部分と、使用時に前記解剖学的壁を通って配置される中間部とを備える、請求項１８または１９に記載の経カテーテルシステム。
【請求項２１】
使用時に、前記中間部が、前記体内接続具の前記ネック部を通って配置され、前記ネック部に固定される、請求項２０に記載の経カテーテルシステム。
【請求項２２】
前記中間部が、前記体内接続具の前記ゲート部を通って配置される、請求項２０または２１に記載の経カテーテルシステム。
【請求項２３】
前記中間部が、前記第１の区画と前記第２の区画との間の流体連通のためのチャネルを備える、請求項２０〜２２のいずれか一項に記載の経カテーテルシステム。
【請求項２４】
前記流量調整デバイスの前記中間部が前記体内接続具に連結されている場合、流体は、前記第１の区画から前記第２の区画に流れることができ、前記流量調整デバイスの前記中間部が前記体内接続具に連結されていない場合、流体は、前記第１の区画から前記第２の区画に流れることができない、請求項２０〜２３にいずれか一項に記載の経カテーテルシステム。
【請求項２５】
前記流量調整デバイスがポンプを備える、請求項１８〜２４のいずれか一項に記載の経カテーテルシステム。
【請求項２６】
前記ポンプが、前記流量調整デバイスの前記第１の部分に配置される、請求項２５に記載の経カテーテルシステム。
【請求項２７】
前記ポンプが、少なくとも１つの刃を支持する回転可能なシャフトを備え、前記刃が、前記シャフトの長手方向に伸長して挿入形状になるように構成されている、請求項２５または２６に記載の経カテーテルシステム。
【請求項２８】
前記刃が、前記シャフトの前記長手方向に弛緩して作業形状になるように構成されている、請求項２７に記載の経カテーテルシステム。
【請求項２９】
前記シャフトの横方向において、前記刃の寸法が、前記挿入形状におけるよりも前記作業形状においてより大きい、請求項２７または２８に記載の経カテーテルシステム。
【請求項３０】
前記刃がスクリュー型の刃である、請求項２７〜２９のいずれか一項に記載の経カテーテルシステム。
【請求項３１】
前記刃が、長手方向に弾性の材料から作られている、請求項２７〜３０のいずれか一項に記載の経カテーテルシステム。
【請求項３２】
前記ポンプが倒立スクリューポンプ手段を備える、請求項２５または２６に記載の経カテーテルシステム。
【請求項３３】
前記流量調整デバイスが、前記流体を処理するための流体処理手段を備える、請求項１８〜３２のいずれか一項に記載の経カテーテルシステム。
【請求項３４】
前記流体処理手段が、前記流体を１つ以上の薬剤化合物と接触させるための手段を備える、請求項３３に記載の経カテーテルシステム。
【請求項３５】
前記流体処理手段が、前記流体を酸素等の１つ以上のガスと接触させるための手段を備える、請求項３３または３４に記載の経カテーテルシステム。
【請求項３６】
前記第１の部分および／または前記第２の部分が、前記第１の区画から前記第２の区画への流体通過のための１つ以上の開口部を備える、請求項２０〜３５のいずれか一項に記載の経カテーテルシステム。
【請求項３７】
前記流量調整デバイスが、前記流量調整デバイスを前記体内接続具に固定するための手段を備える、請求項２０〜３６のいずれか一項に記載の経カテーテルシステム。
【請求項３８】
前記流量調整デバイスの前記第２の部分が、前記解剖学的壁または前記体内接続具の前記拡張可能なアンカー部に対して当接するための１つ以上のフランジを備える、請求項３７に記載の経カテーテルシステム。
【請求項３９】
前記中間部が、拡張可能な材料から作られている、請求項３７または３８に記載の経カテーテルシステム。
【請求項４０】
前記第１の部分が、前記中間部の断面の直径よりも大きい直径の断面を備える、請求項２０〜３９のいずれか一項に記載の経カテーテルシステム。
【請求項４１】
前記第２の部分が実質的に円錐形である、請求項２０〜４０のいずれか一項に記載の経カテーテルシステム。
【請求項４２】
前記第２の部分が、丸みを帯びた遠位先端部を備える、請求項２０〜４１のいずれか一項に記載の経カテーテルシステム。
【請求項４３】
前記流量調整デバイスが、該流量調整デバイスを通るガイドワイヤを受容するように構成されている、請求項２０〜４２のいずれか一項に記載の経カテーテルシステム。
【請求項４４】
前記第１の部分、前記第２の部分および／または前記中間部が、これらを通るガイドワイヤを受容するための開口部を備える、請求項４３に記載の経カテーテルシステム。
【請求項４５】
前記流量調整デバイスが、長手方向軸線に沿ってガイドワイヤを受容するように構成されている、請求項４３または４４に記載の経カテーテルシステム。
【請求項４６】
前記流量調整デバイスが、全体的にまたは部分的に折り畳み可能である、請求項１８〜４５のいずれか一項に記載の経カテーテルシステム。
【請求項４７】
一方または両方の前記解剖学的区画が循環系の区画である、請求項１〜４６のいずれか一項に記載の経カテーテルシステム。
【請求項４８】
前記流体が血液である、請求項１〜４７のいずれか一項に記載の経カテーテルシステム。
【請求項４９】
当該経カテーテルシステムが補助人工心臓である、請求項１〜４８のいずれか一項に記載の経カテーテルシステム。
【請求項５０】
前記解剖学的区画が、２つの解剖学的壁によって隔てられる、請求項１〜４９のいずれか一項に記載の経カテーテルシステム。
【請求項５１】
前記２つの解剖学的区画が、解剖学的に隣接していない２つである、請求項１〜５０のいずれか一項に記載の経カテーテルシステム。
【請求項５２】
前記体内接続具および前記流体調整デバイスが、単一のデバイスとして構築されている、請求項１〜５１のいずれか一項に記載の経カテーテルシステム。
【請求項５３】
請求項１〜１７のいずれか一項に記載されている体内接続具。
【請求項５４】
請求項１８〜４６のいずれか一項に記載されている体内流量調整デバイス。